(57)【要約】【課題】周囲に和やかな雰囲気を演出するコニュニケーションツールとしての機能を向上させたビューティーイメージ模型を提供する。【解決手段】ビューティーイメージ模型１０は、女性の姿形を模造した頭部１２、頸部１４および肩部１６を備え、頭部１２には交換可能なウィッグ１８を備え、ヘアスタイリングやメイクアップ、服飾などが融合した総合的なビューティーイメージを立体的に表現することができる。交換可能なウィッグ１８はカット練習用としも経済性に優れ、また予め様々なヘアスタイルに整えられたウィッグ１８を用意しておけば、カウンセリングの場において交換するだけで簡単にビューティーイメージを換えることができる。【選択図】図１
0003230938.tif 000002
【実用新案登録請求の範囲】
【請求項１】
女性の姿形を小さめに模造した頭部、頸部および肩部を備え、
女性の身体の造作と比較して前記肩部が小さめに造形され、
女性の顔の造作と比較して目は大きめに鼻と口は小さめに造形されていることを特徴とする、
ビューティーイメージ模型。
【請求項２】
交換可能なウィッグを備える、
請求項１に記載のビューティーイメージ模型。
【請求項３】
前記ウィッグが前記頭部に植設された毛髪を被覆するように装着される、
請求項１または２に記載のビューティーイメージ模型。
【請求項４】
瞳を描画する位置の目安となるガイドが設けられている、
請求項１乃至３の何れかに記載のビューティーイメージ模型。
【請求項５】
予め描画された瞳の中に桜または梅の花弁が描画されている、
請求項１乃至３の何れかに記載のビューティーイメージ模型。
【考案の詳細な説明】
【技術分野】
【０００１】
本考案は、メイクや服飾などの総合的なビューティーイメージを立体的に表現するための模型に関し、特にコミュニケーションツールとして用いることができるビューティーイメージ模型に関する。
【背景技術】
【０００２】
美容カウンセリングに用いられるカウンセリングツールの一つに、ヘアスタイルやカラーリングなどのモデル画像を掲載したスタイルブックがある。また近年ではスマートフォンやタブレットの液晶画面にモデル画像を表示させることも行われている。しかしながら、モデル画像は二次元の平面的なものであるため、髪のボリューム感や陰影といった立体的な要素が十分には表現されていない。そのため、ヘアスタイルやメイクアップを提供する側と受ける側との間で認識に差が生じることがあり、仕上がりに対して顧客が違和感を覚えることある。
【０００３】
従来、子供用のおもちゃとして用いられてきたドール、ヘアカットの練習台として用いられてきたカットウィッグなどの立体模型をカウンセリングツールとして転用することも考えられるが、それには次のような問題がある。まずドールの場合、入手しやすいもののほとんどが小型であって頭部も小さいことから、ヘアスタイルのカウンセリングツールとしては適していない。カットウィッグの場合、十分な大きさがあること、人毛を使用していることなど利点は多いが、本来はカット技術練習用の模型であるため、カウンセリングツールとして用いるにはサイズ的に大き過ぎるきらいがある。また首から上のリアルな造形であるため、カットウィッグを見慣れていない顧客に対しては生々しい印象を与えてしまう懸念もある。さらには、「肩下１０センチ」とか「肩上ボブ」など髪と肩との位置関係が把握できないという点においても従来のカットウィッグはカウンセリングツールとしては適していない。
【０００４】
考案者は、カウンセリングツールに適したビューティーイメージ模型を提案している（特許文献１参照）。この模型は女性の姿形を模造したものであり、頭部は実際の大きさより小さめに造形され、肩部はさらに小さめに造形されている。
【先行技術文献】
【特許文献】
【０００５】
【特許文献１】実用新案登録第３２２１９４１号公報
【考案の概要】
【考案が解決しようとする課題】
【０００６】
考案者は、前述のビューティーイメージ模型にさらなる改良を加え、美容サービスの提供におけるカウンセリングツールとしてだけではなく、周囲に和やかな雰囲気や楽しい会話を演出するコニュニケーションツールとしての機能を向上させたビューティーイメージ模型を創作した。
【課題を解決するための手段】
【０００７】
本考案は、ビューティーイメージ模型であり、女性の姿形を小さめに模造した頭部、頸部および肩部を備え、女性の身体の造作と比較して前記肩部が小さめに造形され、女性の顔面の造作と比較して目は大きめに、鼻と口は小さめに造形されていることを特徴とする。
【０００８】
また、交換可能なウィッグを備えることを特徴とする。
【０００９】
また、前記ウィッグが、前記頭部に植設された毛髪を被覆するように装着されることを特徴とする。
【００１０】
また、瞳を描画する位置の目安となるガイドが設けられていることを特徴とする。
【００１１】
また、瞳の中に桜または梅の花弁が描画されていることを特徴とする。
【考案の効果】
【００１２】
本考案のビューティーイメージ模型は、実際の女性の姿形をデフォルメして模造し、見る者にドール的な印象を与えるように造形されているので、楽しみながらカットやメイク技術の習得ができる練習台として、また美容サービスを提供する側と受ける側の両方を笑顔にするカウンセリングツールとして、さらには周囲に和やかな雰囲気や楽しい会話を演出するコニュニケーションツールとして、様々なコミュニケーションの場において使用することができる。
【図面の簡単な説明】
【００１３】
【図１】ビューティーイメージ模型の一形態の全体像を示す図
【図２】ビューティーイメージ模型の他の形態の全体像を示す図
【図３】ビューティーイメージ模型の他の形態の全体像を示す図
【考案を実施するための形態】
【００１４】
以下、本考案のビューティーイメージ模型の実施形態について、添付の図面を参照しながら説明する。
【００１５】
図１はビューティーイメージ模型の全体像を示している。ビューティーイメージ模型１０は、人体の頭、頸および肩に相当する３つの部位（各々、頭部１２、頸部１４、肩部１６という。）と、頭部１２に装着されるウィッグ１８で構成されている。
【００１６】
頭部１２には人体を模したフェイス（目、鼻、口の各パーツおよびその周辺部）が形成されている。実際の女性の顔の造作と比較すると目は大きめで鼻と口は小さめであり、ドールに特有の親しみやすい造形である。ビューティーイメージ模型１０の口元はアルカイックスマイルと呼ばれる穏やかな微笑を湛えた表情を基調としている。アルカイックスマイルは古代美術の彫像などにその例がみられる特徴的な表情であり、僅かに口角を上げた口元の造形が観る者に心の安らぎを与える。
【００１７】
ビューティーイメージ模型１０のフェイスの色調は日本人の女性に多い肌の色に調整されているので、実際に女性が使用する化粧品を使ったメイクアップを施すことができる。なお、図２に示すビューティーイメージ模型２０は、実際の女性の顔の造作により近いバランスで造形されたものである。このビューティーイメージ模型２０を用いることで、よりリアルなメイク技術を習得することができる。
【００１８】
ビューティーイメージ模型１０の瞳には輝きを表現するために桜や梅の花弁をモチーフとしたデザインが施されている。これによりドールとしての印象がより高められている。なお、図３に示すビューティーイメージ模型３０は、使用者自身が瞳を描画するタイプのものであり、瞳を描画する位置の目安となるガイドが予め設けられている。ビューティーイメージ模型３０には薄いグレイで瞳の位置が示されており、これを目安にしながら好みの瞳に彩色加工することができる。
【００１９】
ウィッグ１８は面ファスナーや虫ピンなどの剥離可能な接合手段を用いて頭部１２に装着する。ウィッグ１８は簡単に交換することができるため、例えば、ビューティーイメージ模型１０をカット技術習得の目的で使用する場合、練習後のウィッグ１８を新しいものと交換すれば、ウィッグのコスト負担だけでビューティーイメージ模型１０を何度でも使用することができる。また、予めいくつかのバリエーションのウィッグを用意しておけば、ビューティーイメージ模型１０をヘアスタイルのカウンセリングツールとして用いることができる。この場合、ウィッグ１８を頭部１２に固定する必要はないので、面ファスナー等は用いずにウィッグ１８を載せ換えるだけでもよい。
【００２０】
なお、ウィッグ１８の着脱の容易さの観点からは、頭部１２には毛髪（人毛もしくはフェイク人毛）が植設されていない方が好ましいが、予め植設されていても特段の問題はない。植設された毛髪の上からウィッグ１８を装着するときは、毛髪を頭頂部に集めて束ねておき、そこにウィッグ１８を被せるように装着する。頭部１２に毛髪が植設されているとウィッグ１８を外したときでもドール的な可愛らしさが増して好ましいのであるが、その分だけ材料費と工数が嵩むためコスト面からは不利になる。
【００２１】
ビューティーイメージ模型１０は、軟質のポリ塩化ビニルを素材としたソフトビニールによって外郭が形成され、その内側に軟質ウレタンが充填されている。ビューティーイメージ模型１０は実際の女性の姿形と比較して小さめのサイズに造形されている。具体的には高さが約２３ｃｍ、幅が約１６．５ｃｍ、奥行きが約１０ｃｍである。
【００２２】
ビューティーイメージ模型１０は、女性の実際の身体バランスと比較して肩部１６が小さめに造形されていることにも特徴がある。具体的には、成人女性の頭囲の平均値が概ね５５ｃｍであるのに対し、頭部１２の頭囲は約３５ｃｍであり、ビューティーイメージ模型１０の頭囲は対人体比で約６５％の大きさとなる。一方で肩部１６の幅は約１６．５ｃｍであり、成人女性の肩幅を４０ｃｍとすると、ビューティーイメージ模型１０の肩幅は対人体比で約４０％の大きさとなる。このように、ビューティーイメージ模型１０は頭部１２に対して肩部１６の比率が小さくなるように造形されているため、マネキン人形やカットウィッグのような実物に近づけたリアルな存在感ではなく、愛玩用のドールのような愛らしい印象を見る者に与える。また、特に肩幅のサイズを小さく抑えることで、ビューティーイメージ模型１０の持ち運びや移動が容易になるだけではなく、製作にかかるコストを抑えることができ、さらには保管コストや輸送コストも抑えることができる。
【００２３】
ビューティーイメージ模型１０は実際の女性の姿形と比較して小さめのサイズ感であり、頭部に対して肩幅が狭く、さらには親しみやすい表情を湛えていることから、カウンセリングのときに間近に寄せられても変な圧迫感や違和感を与えられることはない。また、小さめのサイズ感であることにより、近くに置かれても全体を容易に俯瞰することできるというメリットを挙げることができる。これはカウンセリングツールとしては特に重要なポイントである。小さめではあるが肩部が設けられているので、ここにネックレスやショールなどの服飾を添えるなどして全体のバランスの中で髪型やカラーリングを決めていくことができる。
【００２４】
ビューティーイメージ模型１０はカウンセリングツールとして用いることができるが、さらに一歩進んで双方向のコミュニケーションを円滑化するコミュニケーションツールとして位置付けることもできる。ビューティーイメージ模型１０に特有の親しみやすい造形が周囲に和やかな雰囲気を醸し出すことで、サービスを提供する側と受ける側、レッスンする側とされる側、ドールとして愛玩する家族間のコミュニケーションが促進される。
【００２５】
ビューティーイメージ模型１０は、以下に示すような別の用途においてもその機能を十分に発揮することができる。第１に、従来のカットウィッグと同様に技術修練の用途に使用することができる。カットウィッグより優れている点としては、ウィッグの交換が可能であること、ヘアスタイリングだけではなく自在なメイクアップが可能であること、ヘアスタイルやメイクに合わせた着こなし等のトータルコーディネートを学ぶことができることなどが挙げられる。また従来のカットウィッグに比較するとコンパクトなので持ち運びも容易である。
【００２６】
第２に、美容サロンのイメージキャラクターやサイネージとして使用することができる。例えばビューティーイメージ模型１０に派手で華やかなヘアスタイリングやメイクアップを施し、人目に付くところなどに展示しておくことで、美容サロンの存在を示す目印として宣伝効果も期待できる。
【００２７】
第３に、美容サロンやアーティストのオリジナル商品として使用することができる。従来、美容サロンはカットやメイクなどの美容サービスを提供することがビジネスの中心であり、商品販売としては美容グッズや化粧品等を扱う程度であった。ビューティーイメージ模型１０は美容従事者の最高の技術や独創的なセンスを余すところなく表現するアート素材ともなり得るものであり、美容分野において従来にないビジネスツールとしての用途が期待される。また顧客の要望に応じて制作するオーダーメード商品の素材としても使用することも可能である。
【符号の説明】
【００２８】
１０  ビューティーイメージ模型
１２  頭部
１４  頸部
１６  肩部
１８  ウィッグ
【図１】
0003230938.tif 000003
【図２】
0003230938.tif 000004
【図３】
0003230938.tif 000005
【手続補正書】
【提出日】令和2年12月28日(2020.12.28)
【手続補正１】
【補正対象書類名】実用新案登録請求の範囲
【補正対象項目名】全文
【補正方法】変更
【補正の内容】
【実用新案登録請求の範囲】
【請求項１】
女性の姿形を小さめに模造した頭部、頸部および肩部を備え、
女性の身体の造作と比較して前記肩部が小さめに造形され、
女性の顔の造作と比較して目は大きめに鼻と口は小さめに造形されていることを特徴とする、
ビューティーイメージ模型。
【請求項２】
交換可能なウィッグを備える、
請求項１に記載のビューティーイメージ模型。
【請求項３】
前記ウィッグが前記頭部に植設された毛髪を被覆するように装着される、
請求項２に記載のビューティーイメージ模型。
【請求項４】
瞳を描画する位置の目安となるガイドが設けられている、
請求項１乃至３の何れかに記載のビューティーイメージ模型。
【請求項５】
予め描画された瞳の中に桜または梅の花弁が描画されている、
請求項１乃至３の何れかに記載のビューティーイメージ模型。